【事件の表示】
　平成　４年特許願第　３１６９３号「ブラシレスモータ運転制御装置」拒絶査定不服審判事件〔平成　５年　９月１０日出願公開、特開平　５−２３６７９１〕について、次のとおり審決する。
【結　論】
　本件審判の請求は、成り立たない。
【理　由】
１．手続の経緯・本願発明の内容
　本願は、平成４年２月１９日の出願であって、その請求項１に係る発明は、平成１４年４月２５日付手続補正書の特許請求の範囲の請求項１に記載された事項により特定される次のとおりのものである。
　
「モータ巻線電流を制御する半導体スイッチング群と、電圧コントロール信号による出力電圧が可変のスイッチング電源と、モータ巻線の誘起電圧によりロータの磁極位置を検出する位置検知手段と、前記位置検知手段の出力信号に基づき半導体スイッチング群を順次転流し、ロータを回転させる信号を生成し、かつ前記半導体スイッチング群を駆動する駆動手段と、前記スイッチング電源への電圧コントロール信号および前記駆動手段への駆動信号を生成するモータ回転制御手段を備え、モータ起動時においてロータ位置を決めるべく前記半導体スイッチング群のうち特定のトランジスタの組合せを通電し、ステータの特定のモータコイルに通電をおこないロータ位置を固定する「位置決め」時に、前記スイッチング電源の出力電圧値を保持するとともに前記半導体スイッチング群のうち特定のトランジスタの組合せのうち、少なくとも１個のトランジスタにおいて時間的にON/OFF駆動を繰り返すことにより、モータ電流を断続し、前記トランジスタの破損を防止できることを特徴とするブラシレスモータ運転駆動装置。」
　
　なお、当審における平成１６年１０月２６日付け拒絶理由通知後、平成１６年１２月１７日付けでなされた手続補正は、平成１７年５月９日付けで却下された。
　
２．引用文献
　当審における平成１６年１０月２６日付けの拒絶の理由に引用した特開平３−２３５６９４号公報（以下、「引用文献」という。）には、次の事項が記載されている。
　
ア．「中性点非接地に結線された３相電機子巻線と、直流電源と、前記電機子巻線への電流を通電、遮断する半導体スイッチング素子群と、磁石回転子を有するブラシレスモータと、起動指令手段と、前記起動指令手段の指令により前記３相電機子巻線の特定相のみ励磁するような固定相励磁信号発生手段と、前記電機子巻線に誘起される電圧信号によって前記電機子巻線と前記磁石回転子の相対的位置を検出する位置検出手段と、前記固定相励磁信号発生手段の出力信号と前記位置検出手段の出力信号を選択し、切り換えて出力する切換手段と、前記切換手段に切換指令を与える切換指令手段と、前記切換手段の出力信号を用いて前記スイッチング素子群の駆動信号を生成する駆動信号発生手段と、デューティ比指令手段と、前記駆動信号発生手段の出力信号に、前記デューティ比指令手段の指令に基づいてパルス幅変調をかけるパルス幅変調手段を備え、前記起動指令手段の指令発生後一定期間は、前記電機子巻線の特定相にのみ励磁信号を与えると同時に前記デューティ比を時間とともに増加させて前記磁石回転子の位置を初期化し、一定期間経過後は、前記切換手段を切り換えて前記位置検出手段の出力信号に基づいてモータを駆動するブラシレスモータの起動装置。」（特許請求の範囲（３））
　
イ．「通常ブラシレスモータには、その回転子の磁極位置を検出するための検出器が必要であるが、例えばこのブラシレスモータを空調機のコンプレッサに用いようとする場合、高温高圧条件下で前記検出器の信頼性が保証できないため、これらの検出器を用いることができない。従ってこのような応用においては、磁極位置検出器を用いず、電機子巻線に誘起される電圧信号を検出し、それに基づいてモータの転流信号を生成する方法が用いられている。しかし電機子巻線に電圧信号が誘起されるのは回転子が回転している場合だけで、停止している場合は磁極位置情報が得られない。つまり、起動時はこの電圧信号が使えないわけである。従って起動時には回転子の磁極位置にかかわらず電機子巻線に回転磁界が発生するような特定の信号を与えて、回転子を強制回転させることとなる。ところが、この特定の信号は回転子の磁極位置を無視して与えているため結果として起動時に大きな始動電流が流れるとともにモータの振動が大きくなる。そしてこの始動電流が、電機子巻線への通電、遮断する半導体スイッチ素子群の許容電流値を超える場合は起動不可能ということになる。」（第２頁左上欄第１６行〜右上欄第１８行）
　
ウ．「次に起動時の動作について説明する。まず、マイクロコンピュータ１５から起動指令信号１５１、切換信号１５２、デューティ比指令信号１５３が同時に出力される。起動指令信号１５１を受けた固定相励磁信号発生回路１１は、（１１１、１１２、１１３）＝（Ｈ，Ｌ，Ｈ）（Ｈはハイレベル、Ｌはローレベルを意味する。以下同様）を切換回路７に出力する。この時切換回路７は固定相励磁信号発生回路１１側に切り換えられているので、切換回路出力７１〜７３は第１図に示すようになる。この出力信号７１〜７３を与えられた駆動信号発生回路８は第１図の８１〜８６のような駆動信号を発生する。また、デューティ比が第１図に示すように時間とともに増加し、一定時間後に一定デューティ比を維持するようなデューティ比指令信号１５３をパルス幅変調回路９に入力し、この信号によって変調をかけられた信号が、半導体スイッチング素子群２に与えられ、電機子巻線４が励磁される。この励磁によって磁石回転子５がある特定の位置に初期化され、その結果位置検出回路６の出力は、第１図に示すように（６４１、６４２、６４３）＝（Ｈ，Ｌ，Ｌ）となる。起動開始後一定期間ｔ０が経過した時点で、切換信号１５２によって切換回路７の入力を固定相励磁信号発生回路１１から位置検出回路６の出力に切り換えると、駆動信号発生回路８の入力は（７１、７２、７３）＝（Ｈ，Ｌ，Ｌ）となり、それに基づいて駆動信号発生回路８は第１図のｔ０以降のような信号を出力する。この信号は第５図に示した電機子巻線４に誘起される電圧信号に基づいた信号と同様になり、以降モータは安定に回転することとなる。」（第４頁左上欄第８行〜右上欄第１８行）
　
エ．上記ア．、ウ．と第１図の記載より、引用文献に記載された駆動信号発生回路８は、モータ起動時に、電機子巻線４の特定相にのみ励磁するような固定相励磁信号を受け、半導体スイッチング素子群２のうち特定のトランジスタを駆動するような駆動信号を発生するものであることが明らかである。
　また、上記ウ．の記載より、駆動信号は時間とともにデューティ比が増加するようにパルス幅変調がかけられたものであるから時間的にＯＮ／ＯＦＦを繰り返すことによりモータ電流を断続するものである。
　さらに、上記イ．の記載より、ブラシレスモータの起動時に流れる大きな始動電流が半導体スイッチング素子群の許容電流値を超えることを防止しようとするものであるから、始動電流によるトランジスタの破損を防止できるものである。
　そうすると、引用文献に記載されたブラシレスモータの起動装置は、「モータ起動時において磁石回転子５の位置を決めるべく前記半導体スイッチング素子群２のうち特定のトランジスタの組合せを通電し、電機子巻線４の特定相に通電をおこない位置を固定する「位置の初期化」時に、前記半導体スイッチング素子群２のうち特定のトランジスタの組合せのうち、少なくとも１個のトランジスタにおいて時間的にON/OFF駆動を繰り返すことにより、モータ電流を断続し、前記トランジスタの破損を防止できる」ものであるといえる。
　
　これらの記載及び図面を参照すると、引用文献には、次の発明が記載されている。（以下、「引用発明」という。）
　
「電機子巻線への電流を通電、遮断する半導体スイッチング素子群２と、直流電源１と、電機子巻線４に誘起される電圧信号により磁石回転子５の磁極位置を検出する位置検知手段６と、前記位置検知手段６の出力信号に基づき半導体スイッチング素子群２を順次転流し、磁石回転子５を回転させる信号を生成し、かつ前記半導体スイッチング素子群２を駆動する駆動信号発生回路８を備え、モータ起動時において磁石回転子５位置を決めるべく前記半導体スイッチング素子群２のうち特定のトランジスタの組合せを通電し、電機子巻線４の特定相に通電をおこない磁石回転子５位置を固定する「位置の初期化」時に、前記半導体スイッチング素子群２のうち特定のトランジスタの組合せのうち、少なくとも１個のトランジスタにおいて時間的にON/OFF駆動を繰り返すことにより、モータ電流を断続し、前記トランジスタの破損を防止できるブラシレスモータの起動装置。」
　
３．対比
　本願発明と上記引用発明とを対比すると、その作用・機能からみて、後者における「電機子巻線への電流を通電、遮断する半導体スイッチング素子群２」が前者の「モータ巻線電流を制御する半導体スイッチング群」に相当し、以下同様に、後者の「電機子巻線４に誘起される電圧信号」が前者の「モータ巻線の誘起電圧」に、後者の「磁石回転子５」が前者の「ロータ」に、後者の「駆動信号発生回路８」が前者の「駆動手段」に、後者の「電機子巻線４の特定相」が前者の「ステータの特定のモータコイル」に、後者の「位置の初期化」が前者の「位置決め」に、後者の「ブラシレスモータの起動装置」は前者の「ブラシレスモータ運転駆動装置」にそれぞれ相当する。
　また、後者の「直流電源１」と前者の「スイッチング電源」とはいずれも「直流電源」である点で共通する。
　したがって、両者は、
「モータ巻線電流を制御する半導体スイッチング群と、直流電源と、モータ巻線の誘起電圧によりロータの磁極位置を検出する位置検知手段と、前記位置検知手段の出力信号に基づき半導体スイッチング群を順次転流し、ロータを回転させる信号を生成し、かつ前記半導体スイッチング群を駆動する駆動手段を備え、モータ起動時においてロータ位置を決めるべく前記半導体スイッチング群のうち特定のトランジスタの組合せを通電し、ステータの特定のモータコイルに通電をおこないロータ位置を固定する「位置決め」時に、前記半導体スイッチング群のうち特定のトランジスタの組合せのうち、少なくとも１個のトランジスタにおいて時間的にON/OFF駆動を繰り返すことにより、モータ電流を断続し、前記トランジスタの破損を防止できることを特徴とするブラシレスモータ運転駆動装置。」の点で一致し、以下の点で相違する。
　
［相違点］
　直流電源に関して、本願発明は、「電圧コントロール信号による出力電圧が可変のスイッチング電源」であるのに対し、引用発明は、出力電圧が可変のスイッチング電源であるとはしておらず、また、本願発明は、「スイッチング電源への電圧コントロール信号および駆動手段への駆動信号を生成するモータ回転制御手段」を備え、「「位置決め」時にスイッチング電源の出力電圧値を保持する」ものであるのに対し、引用発明はかかるモータ回転制御手段を備えておらず、「位置決め」時にスイッチング電源の出力電圧値を保持するものとはしていない点。
　
４．判断
　ブラシレスモータ運転駆動装置において、電源に出力電圧が可変のスイッチング電源を用いることや、スイッチング電源への電圧コントロール信号およびインバータ回路への駆動信号を生成するマイクロプロセッサを備えることは、例えば、特開昭６１−７６０９５号公報に記載されているように周知の技術である。
　そして、引用発明の直流電源に代えて、周知の技術のように出力電圧が可変のスイッチング電源を用いるようにし、スイッチング電源への電圧コントロール信号および駆動手段への駆動信号を生成する手段を設けることに格別のものは見当たらず、その際「位置決め」時に、スイッチング電源の出力電圧値を保持することは当業者が普通になし得る程度のことである。
　
　さらに、本願発明を全体として検討しても、引用発明及び周知技術から予測される以上の格別の効果を奏するとも認められない。
　
５．むすび
　したがって、本願発明は、引用文献に記載された発明及び周知技術に基づいて、当業者が容易に発明をすることができたものであるから、特許法第２９条第２項の規定により特許を受けることができない。
　
　よって、結論のとおり審決する。